(57)【要約】【課題】  エクステンションの練習用睫毛への装着状態を判定しやすい睫毛エクステンション装着試験・練習用キット提供することを目的とする。【解決手段】  本発明による睫毛エクステンション装着練習用マネキン顔は、人間の睫毛が生えている箇所と同じ瞼の端部に、睫毛エクステンションを装着するための練習用睫毛が植毛された睫毛エクステンション装着練習用マネキン顔であって、前記練習用睫毛が植毛された睫毛植毛区域をもつ瞼部分含む目相当部分が取り替え可能（着脱可能）であって、前記睫毛植毛区域に植毛された練習用睫毛の本数が、人間の睫毛の本数より多いことを特徴とするものである。【選択図】図１
2017205312.tif 000002
【特許請求の範囲】
【請求項１】
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および透明接着剤を備えた睫毛エクステンション装着試験・練習用キット。
【請求項２】
前記複数本の試験・練習用睫毛は列をなして植毛されており、隣り合った２本の試験・練習用睫毛の間の間隔が０．５〜６ｍｍである請求項１の睫毛エクステンション装着試験・練習用キット。
【請求項３】
前記練習用睫毛の色が、黒色または茶色である請求項１または２の睫毛エクステンション装着試験・練習用キット。
【請求項４】
前記睫毛エクステンションの色が、黒色および茶色以外の色である請求項１〜３のいずれかの睫毛エクステンション装着試験・練習用キット。
【請求項５】
前記練習用睫毛が植毛された睫毛植毛区域をもつ瞼部分含む目相当部分が取り替え可能（着脱可能）である請求項１〜４のいずれかの睫毛エクステンション装着試験・練習用キット。
【請求項６】
前記接着剤が、半透明である請求項１〜５のいずれかの睫毛エクステンション装着試験・練習用キット。
【請求項７】
前記接着剤が、有色で有り、その色が、練習用睫毛および睫毛エクステンションの色とは異なる請求項１〜６のいずれかの睫毛エクステンション装着試験・練習用キット。
【請求項８】
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および透明接着剤を準備し、前記試験・練習用睫毛とは色が変わった睫毛エクステンションを透明接着剤により前記試験・練習用睫毛に装着することを特徴とする睫毛エクステンション装着試験・練習方法。
【発明の詳細な説明】
【技術分野】
【０００１】
本発明は、睫毛エクステンション装着試験・練習用キットに関する。
【背景技術】
【０００２】
睫毛エクステンション（以下、単にエクステンションと称することがある）は、例えば特許第４９８１９８３号公報に示されているように、人間の睫毛一本一本に装着される。その装着作業は、例えばまつげエクステ技術者等と呼ばれている施術者により行われている。しかしながら、その装着時間には相当の時間を要し。しかも、この装着時には、ピンセット等が用いられて行われるため、危険が伴う。
【０００３】
したがって、その装着には、熟練が必要であり、そのため、十分な練習が必要であり、民間試験ながらエクステ検定試験もある。従来は、この練習を、付け睫毛を紙コップやマネキン顔に付け、その付け睫毛の人口毛を用いて行われていた。
【０００４】
しかしながら、従来のように、土台が紙コップでは臨場感に乏しく、良好な装着練習を行うことができないという問題があった。
【０００５】
そこで、本実用新案登録出願の出願人は、マネキン顔に練習用の睫毛を人間に近い状態で植毛し、これをエクステンション装着用として用いることを考えた。このマネキン顔は、エクステンション装着練習用としては、極めて好ましいものではあったが、１回練習を行うと、そのマネキン顔は使い物にならなくならないために、廃棄するか、あるはそのマネキン顔を作成した工場で睫毛を植え直し、再生しなければならないという問題があった。
【０００６】
そこで、本実用新案登録出願の出願人は、実用新案登録第３１７９８５４号公報で、エクステンション装着用の睫毛が植毛されており、しかもそれを数回にわたって使用できる睫毛エクステンション装着練習用マネキン顔を提供した。
【０００７】
前記実用新案登録公報で提案された睫毛エクステンション装着練習用マネキン顔は、人間の睫毛が生えている箇所と同じ瞼の端部に、睫毛エクステンションを装着するための練習用睫毛が植毛された睫毛エクステンション装着練習用マネキン顔であって、前記練習用睫毛が植毛された睫毛植毛区域をもつ瞼部分含む目相当部分が取り替え可能（着脱可能）であって、前記睫毛植毛区域に植毛された練習用睫毛の本数が、人間の睫毛の本数より多いことを特徴とするものである。
【０００８】
図３および図４に、前記睫毛エクステンション装着練習用マネキン顔を具体的に示した。これらの図において、符号１０は睫毛エクステンション装着練習用マネキン顔を、１０ａはマネキン顔本体を、１２は睫毛植毛区域を、１４は練習用睫毛を、１６は取り替え可能な目相当部分をそれぞれ示している。
この睫毛エクステンション装着練習用マネキン顔は、前記エクステ検定試験にも用いられている。
【０００９】
以上の睫毛エクステンション装着練習用マネキン顔は、エクステンション、およびこのエクステンションを、睫毛エクステンション装着練習用マネキン顔の練習用睫毛に装着するための接着剤とともに睫毛エクステンション装着試験・練習用キットとして用いられている。
【先行技術文献】
【特許文献】
【００１０】
【特許文献１】特許第４９８１９８３号公報
【００１１】
【特許文献２】実用新案登録第３１７９８５４号公報
【発明の概要】
【発明が解決しようとする課題】
【００１２】
しかしながら、前記した従来の睫毛エクステンション装着試験・練習用キットにおいては、エクステンションの色が、練習用睫毛の色と同じであるため、エクステンション装着後は、いずれが練習用睫毛かエクステンションであるかの区別が付かず、装着の良否の判定が付けにくいという問題があった。
【００１３】
ところで、エクステンションは、練習用睫毛の根元から２ｍｍ程度のところに、エクステンションの下端（根元）が確りと接合されるのがよいとされている。しかしながら、前記キットの接着剤は、一般的に白色であり、前記接合状態が判別し難いという問題点もあった。
【００１４】
そこで、本発明は、エクステンションの練習用睫毛への装着の良否の判定が容易な睫毛エクステンション装着試験・練習用キットを提供することを目的とする。
【課題を解決するための手段】
【００１５】
前記課題は、以下の（１）〜（８）の構造の本発明の睫毛エクステンション装着試験・練習用キットによって達成することができる。
（１）
人間の睫毛が生えている箇所と同じ瞼の端部に、睫毛エクステンションを装着するための複数本の試験・練習用睫毛が植毛された睫毛エクステンション装着試験・練習用マネキン顔、前記練習用睫毛とは色が変わった睫毛エクステンション、および透明接着剤を備えた睫毛エクステンション装着試験・練習用キット。
（２）
前記複数本の試験・練習用睫毛は列をなして植毛されており、隣り合った２本の試験・練習用睫毛の間の間隔が０．５〜６ｍｍである前記（１）の睫毛エクステンション装着試験・練習用キット。
（３）
前記練習用睫毛が、黒色または茶色である前記（１）または（２）の睫毛エクステンション装着試験・練習用キット。
（４）
前記睫毛エクステンションの色が、黒色および茶色以外の色である前記（１）〜（３）のいずれかの睫毛エクステンション装着試験・練習用キット。
（５）
前記練習用睫毛が植毛された睫毛植毛区域をもつ瞼部分含む目相当部分が取り替え可能（着脱可能）である前記（１）〜（４）のいずれかの睫毛エクステンション装着試験・練習用キット。
（６）
前記接着剤が、半透明である前記（１）〜（５）のいずれかの睫毛エクステンション装着試験・練習用キット。
（７）
前記接着剤が、有色で有り、その色が、練習用睫毛および睫毛エクステンションの色とは異なる前記（１）〜（６）のいずれかの睫毛エクステンション装着試験・練習用キット。
（８）
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および透明接着剤を準備し、前記試験・練習用睫毛とは色が変わった睫毛エクステンションを透明接着剤により前記試験・練習用睫毛に装着することを特徴とする睫毛エクステンション装着試験・練習方法。
【発明の効果】
【００１６】
本発明の睫毛エクステンション装着試験・練習用キットにおいては、練習用睫毛とエクステンションの色が異なっているので、装着した際、何れが練習用睫毛で、いずれが装着したエクステンションなのかが、一目見て判然するので、装着良否が明確に判定できる。また、使用する接着剤が透明なので、エクステンションが練習用睫毛の正確な位置に良好な状態で接合されているのかが明確に判定できる。
従って、本発明の睫毛エクステンション装着試験・練習用キットは、エクステンションの装着の練習、試験に用いて、極めて良好なものである。
【図面の簡単な説明】
【００１７】
【図１】本発明の実施の形態による睫毛エクステンション装着試験・練習用キットを用いての練習用睫毛のエクステンションを接合した状態を一本ずつの練習用睫毛とエクステンションで示した斜視図であるである。
【図２】本発明の実施の形態による睫毛エクステンション装着試験・練習用キットのマネキン顔における練習用睫毛の植毛状態の一例を示す平面図である。
【図３】従来の睫毛エクステンション装着練習用マネキン顔の斜視図である。図である。
【図４】図４のマネキン顔において目相当部分を取り外した状態で示した図である。
【発明を実施するための形態】
【００１８】
以下、添付図面を参照しつつ、本発明の実施形態による睫毛エクステンション装着試験・練習用キットについて説明する。本発明の実施形態による睫毛エクステンション装着試験・練習用キットは、睫毛エクステンション装着用マネキン顔１０、睫毛エクステンション１および接着剤２を備えている。
先ず、この睫毛エクステンション装着試験・練習用キットで使用される睫毛エクステンション装着用マネキン顔について説明すると、本マネキン顔も練習用睫毛の部分以外の部分については、図３および図４に示したマネキン顔をそのまま用いることができる。例えば、本マネキン顔も、従来のマネキン顔のように、目相当部分１６が取り替え可能（取り外し可能）であることが特に好ましい。
【００１９】
本発明の実施形態による睫毛エクステンション装着試験・練習用キットの睫毛エクステンション装着練習用マネキン顔に植毛された試験・練習用睫毛１４（以下、単に練習用睫毛と称することもある）は、様々な色であってよいが、特に、黒または茶とすることが好ましい。このため、色の異なった練習用睫毛１４が植毛された目相当部分１６を複数個用意しておき、必要な練習用睫毛の色に応じてこの目相当部分１６を取り替えて、マネキン顔本体１０ａに取り付ければよい。
【００２０】
エクステンション１は、前記練習用睫毛１４と異なった色の複数のものが用意される。例えば、前記練習用睫毛１と異なった、黒および茶以外のものとするとすることが好ましい。もっとも、前記練習用睫毛１の色と同じものがあっても、装着の練習・試験を行う際には、エクステンション２は練習用睫毛１とは異なった色のものが用いられる。
【００２１】
睫毛植毛区域においては、練習用睫毛１４は、ランダムに配置されて植毛されていてもよいが、人間の睫毛のように睫毛列として構成されて植毛されていることが好ましい。この睫毛列は、人間の睫毛列の睫毛配列構造と同じか近似する睫毛列が植毛されていることが好ましい。すなわち、人間の睫毛列においては、睫毛が単に一直線に並んでおらず、ジグザグに並んでいる場合のほうがむしろ一般的であるので、そのように配置してもよい。
【００２２】
そして、この睫毛列は、複数列、特に前記瞼の端部と直角な方向に複数層、例えば図２にL1で示されているように一列に配列されていることが好ましい。勿論、複数列配列されていてもよい。
【００２３】
この睫毛列Ｌ１において、練習用睫毛１４は、２〜６ｍｍの間隔Ｌを開けて植毛されていることが好ましい。エクステンション１を接合したとき、練習用睫毛１４の間の間隔が開いていた方が、練習用睫毛とエクステンションの接合状態を観察しやすいからである。
【００２４】
本睫毛エクステンション装着試験・練習用キットに用いられる接着剤は、透明のものを用い、図１に示したように練習用睫毛１４にエクステンション１を接合する。接着剤が透明であるので、エクステンション１の練習用睫毛１４への接合状態が当該接着剤を通して観察できる。ちなみに、エクステンション１は、練習用睫毛１４の根元から２ｍｍ程度のところに、エクステンションの下端（根元）が確りと接合されるのがよいとされており、本発明の透明な接着剤を用いる場合には、この状態が明瞭に観察できる。
【００２５】
本発明において、接着剤は、半透明状態であっても、エクステンション１の練習用睫毛１４への接合状態が当該接着剤を通して観察できるものであるなら透明に含まれるものとする。
本接着剤２は、無色である必要はなく、透明であれば有色であってもよい。接着剤を有色にする場合は、練習用睫毛１４とエクステンション１との双方と異なった色とする。接着剤の色が、練習用睫毛１４またはエクステンション１と同色の場合には、いずれか一方が見づらくなるからである。
【００２６】
以上説明したように、本発明の睫毛エクステンション装着試験・練習用キットにおいては、練習用睫毛とエクステンションの色が異なっているので、装着した際、何れが練習用睫毛で、いずれが装着したエクステンションなのかが、一目見て判然するので、装着良否が明確に判定できる。また、使用する接着剤が透明なので、エクステンションが練習用睫毛の正確な位置に良好な状態で接合されているのかが明確に判定できる。
従って、本発明の睫毛エクステンション装着試験・練習用キットは、エクステンションの装着の練習、試験に用いて、極めて良好なものである。
【００２７】
以上説明した本発明の実施の形態による睫毛エクステンション装着試験・練習用キットを用いての装着試験・練習方法は、人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および透明接着剤を準備し、前記試験・練習用睫毛とは色が変わった睫毛エクステンションを透明接着剤により前記試験・練習用睫毛に装着する。
【符号の説明】
【００２８】
１  睫毛エクステンション
２  接着剤
１０  睫毛エクステンション装着練習用マネキン顔
１０ａ  マネキン顔本体
１２  睫毛植毛区域
１４  練習用睫毛
１６  目相当部分
【図１】
2017205312.tif 000003
【図２】
2017205312.tif 000004
【図３】
2017205312.tif 000005
【図４】
2017205312.tif 000006
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および有色で有り、その色が、前記練習用睫毛および前記睫毛エクステンションの色とは異なる透明または半透明接着剤を備えた睫毛エクステンション装着試験・練習用キット。
【請求項２】
前記複数本の試験・練習用睫毛は列をなして植毛されており、隣り合った２本の試験・練習用睫毛の間の間隔が０．５〜６ｍｍである請求項１の睫毛エクステンション装着試験・練習用キット。
【請求項３】
前記練習用睫毛の色が、黒色または茶色である請求項１または２の睫毛エクステンション装着試験・練習用キット。
【請求項４】
前記睫毛エクステンションの色が、黒色および茶色以外の色である請求項１〜３のいずれかの睫毛エクステンション装着試験・練習用キット。
【請求項５】
前記練習用睫毛が植毛された睫毛植毛区域をもつ瞼部分含む目相当部分が取り替え可能（着脱可能）である請求項１〜４のいずれかの睫毛エクステンション装着試験・練習用キット。
【請求項６】
前記接着剤が、半透明である請求項１〜５のいずれかの睫毛エクステンション装着試験・練習用キット。
【請求項７】
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および有色で有り、その色が、前記練習用睫毛および前記睫毛エクステンションの色とは異なる透明または半透明接着剤を準備し、前記試験・練習用睫毛とは色が変わった睫毛エクステンションを、前記練習用睫毛および前記睫毛エクステンションの色とは異なる透明または半透明接着剤により前記試験・練習用睫毛に装着することを特徴とする睫毛エクステンション装着試験・練習方法。
【手続補正２】
【補正対象書類名】明細書
【補正対象項目名】００１５
【補正方法】変更
【補正の内容】
【００１５】
前記課題は、以下の（１）〜（７）の構造の本発明の睫毛エクステンション装着試験・練習用キットによって達成することができる。
（１）
人間の睫毛が生えている箇所と同じ瞼の端部に、睫毛エクステンションを装着するための複数本の試験・練習用睫毛が植毛された睫毛エクステンション装着試験・練習用マネキン顔、前記練習用睫毛とは色が変わった睫毛エクステンション、および有色で有り、その色が、練習用睫毛および睫毛エクステンションの色とは異なる透明または半透明接着剤を備えた睫毛エクステンション装着試験・練習用キット。
（２）
前記複数本の試験・練習用睫毛は列をなして植毛されており、隣り合った２本の試験・練習用睫毛の間の間隔が０．５〜６ｍｍである前記（１）の睫毛エクステンション装着試験・練習用キット。
（３）
前記練習用睫毛が、黒色または茶色である前記（１）または（２）の睫毛エクステンション装着試験・練習用キット。
（４）
前記睫毛エクステンションの色が、黒色および茶色以外の色である前記（１）〜（３）のいずれかの睫毛エクステンション装着試験・練習用キット。
（５）
前記練習用睫毛が植毛された睫毛植毛区域をもつ瞼部分含む目相当部分が取り替え可能（着脱可能）である前記（１）〜（４）のいずれかの睫毛エクステンション装着試験・練習用キット。
（６）
前記接着剤が、半透明である前記（１）〜（５）のいずれかの睫毛エクステンション装着試験・練習用キット。
（７）
前記接着剤が、有色で有り、その色が、練習用睫毛および睫毛エクステンションの色とは異なる前記（１）〜（６）のいずれかの睫毛エクステンション装着試験・練習用キット。
（８）
人間の睫毛が生えている箇所と同じ瞼の端部に、睫毛エクステンションを装着するための複数本の試験・練習用睫毛が植毛された睫毛エクステンション装着試験・練習用マネキン顔、前記試験・練習用睫毛とは色が変わった睫毛エクステンション、および有色で有り、その色が、練習用睫毛および睫毛エクステンションの色とは異なる透明または半透明接着剤を準備し、前記試験・練習用睫毛とは色が変わった睫毛エクステンションを、前記練習用睫毛および睫毛エクステンションの色とは異なる透明または半透明接着剤により前記試験・練習用睫毛に装着することを特徴とする睫毛エクステンション装着試験・練習方法。